【事件の表示】
　平成　７年特許願第１９８４９３号「タブレット装置上でのスタイラス位置計算方法、およびそれを用いたペン入力型コンピュータまたは携帯式コンピュータ」拒絶査定不服審判事件〔平成　８年　３月　８日出願公開、特開平　８−　６３２７３〕について、次のとおり審決する。
【結　論】
　本件審判の請求は、成り立たない。
【理　由】
１．手続の経緯・本願発明
　本願は平成７年８月３日（パリ条約による優先権主張１９９４年８月５日、米国）の出願であって、平成１７年２月８日付け（平成１７年８月１０日発送）で拒絶査定がなされ、これに対して平成１７年１１月８日に拒絶査定に対する審判が請求されるとともに、同年１２月８日付けで手続補正がなされたものである。
　本願の請求項１に係る発明は平成１７年１２月８日付け手続補正書により補正された明細書及び図面の記載からみて、特許請求の範囲の請求項１に記載された事項により特定される次のとおりのもの（以下「本願発明」という。）である。
「４隅に配置された４つのセンサを備えたタブレット上においてスタイラスによって誘導される信号により各センサとスタイラス間の各距離を計算することによりスタイラスの位置を検出するスタイラス位置検出方法であって、
（ａ）前記スタイラスが信号を誘導していない時に、前記４つのセンサのノイズ信号を測定するステップと、
（ｂ）前記タブレット上に前記スタイラスが存在している時の前記４つのセンサにおけるスタイラス存在信号を測定するステップと、
（ｃ）前記タブレット上における前記スタイラスの位置を計算する際に、前記測定されたノイズ信号に基づいて前記スタイラス存在信号を修正するステップと、
の各ステップを有することを特徴とするスタイラス位置計算方法。」
　
２．引用刊行物
　これに対して原査定の拒絶の理由に引用された、本願の優先日前に頒布された刊行物「米国特許第４６３１３５５号明細書」（以下、「引用刊行物１」という。）には図面とともに以下の記載がある。
「TELAUTOGRAPH SYSTEM
　BACKGROUND OF THE INVENTION
　This relates to a system for transmitting information.
　There is a need for an inexpensive system for transmitting information, such as handwriting, sketching, and the location of a point in real time so that, for example, such handwriting or sketching can be displayed in conjunction with a telephone conversation.」（第１欄第２〜１０行）
（訳：テルオートグラフシステム
　発明の背景
　この発明は情報の伝送システムに関する。
　例えば、手書き、スケッチそして、リアルタイムの点の位置のような、情報であって、手書き、スケッチが電話の会話と結合して表示される、情報の安価な伝送システムへの要求がある。）
　
「DETAILED DESCRIPTION
　With reference now to the drawing, FIG. 1 shows the basic elements of a typical telautographic system 10 comprising a transmitting end including an electrographic terminal 11 which develops electrical signals for supply to a digital signal processor 12 which transforms the received signals to a form suited for transmission. The signals developed are transmitted via suitable transmission means 13 to the receiving end where they are to be utilized. An advantage of this system is that telephone lines should be adequate for the transmission of the writing signals, making such transmission inexpensive.」（第２欄第４１〜５４行）
（訳：詳細な説明
　図１に関し、図１は受け取った信号を伝送に適した形式に変換するデジタル信号プロセッサー１２に信号を供給するエレクトログラフィック端末１１を有する典型的なテルオートグラフシステム１０を含む伝送端末の基本要素を示す。その信号は、適当な伝送手段１３により利用される受信端に伝送される。このシステムの利点は電話線は筆記信号の伝送に適当で、安価に伝送できることである。）
　
「FIG. 2 shows in more detail the basic elements at the transmitting end, particularly the electrographic terminal 11. It includes the writing pad 21 whose construction is better appreciated from the cross-sectional views shown in FIGS. 3 and 4. This pad includes a lower or bottom conductive sheet 31 which is relatively rigid and can be of a suitable conductive material. The sheet as shown is square, for example, 12 by 12 inches, and electrode terminals 22, 23, 24, and 25 are provided at its four corners or vertices.Overlying the bottom sheet is a second conductive sheet 32 which is relatively flexible.」（第２欄第６４行〜第３欄第７行）
(図２は、伝送端における基本的要素、特にエレクトログラフィック端末１１の詳細を示す。それは図３，図４に示された断面図により詳細がわかる筆記パッド２１を含む。このパッドは下部又は底部の比較的硬く、適度の導電性材料の導電シート３１を含む。このシートは四角であり、例えば１２ｘ１２インチであり、電極端子２２，２３，２４，２５がその４隅の頂点に設けられる。該底部シートの上には比較的柔軟な第２の導電シート３２がある。）
　
「Each of the four electrodes supplies a separate low input impedance operational amplifier, although in FIG. 6 only one electrode terminal 24 is shown supplying amplifier 46. 」（第３欄第３８〜４１行）
（訳：図６には１個の電極端子２４とアンプ４６のみ示されるが、４個の電極はそれぞれ独立した低入力インピーダンスのオペアンプを備える。）　
　
「In particular, it is found that if the central point of the square, i.e., the point of intersection of its two diagonals, is regarded as the origin, the coordinates of a point of contact Xp, Yp may be derived as follows.
　Let the four currents measured at the four corner electrodes be designated as I1, I2, I3, and I4.
　Since it is desirable to tolerate a certain degree of nonuniformity both of the conductivity of the sheets over their area and of the contact resistance of the four electrode connections to the sheet, for example, about 
+
　　(I1*+ I2*+ I3*+I4*)/4　　　　　　　　　　　(1)
There are then derived four correction factors C1, C2, C3 and C4 for the four currents measured at the four electrodes equal to
　　I1*/IA, I2*/IA, I3*/IA, I4*/IA,　　　　　　　　　 (2)
respectively, which in subsequent computations will be used to weigh the subsequently measured currents I1, I2, I3, and I4. Typically these quantities will vary between 0.95 and 1.05. If the resistivity of the bottom conductive sheet were completely uniform, and the four electrode contact resistances equal, then I1*, I2*, I3* and I4* would be equal and C1, C2, C3 and C4 would be unity. It is generally desirable to arrange the design so that these factors do not vary from unity by much more than 
+
　For subsequent computations, it will be convenient to use the normalized sum SN of the four currents given by
　 I1C1+I2C2+I3C3+and I4C4　　　　　　　　　　 (3)
From the measured values of current, after correction, there then is derived X0 and Y0 which are a measure of the two coordinates of the contact point where
　　X0=(I1C1-I2C2-I3C3+I4C4)/SN　　　　　　　　 (4)
and
　　Y0=(I1C1+I2C2-I3C3I4C4)/SN　　　　　　 　　 (5)」（第４欄第３８行〜第５欄第２０行）
（訳：特に、四角の中央、即ち2つの対角線の交点を原点とみなすと、接触点の座標　Xp　Ypは以下のように導かれる。
　４隅の電極で測定される４つの電流をI1, I2, I3, I4　とする。
　エリア一帯のシートの導電率と、シートに接続される４つの電極の接触抵抗のある程度の不均一性、例えば平均から
+
　　(I1*+ I2*+ I3*+I4*)/4　　　　　　　　　(1)
そして、4つの電極で測定された4つの電流用の4つの補正値C1,C2,C3,C4が次のように導かれる。
　　I1*/IA, I2*/IA, I3*/IA, I4*/IA,　　　　　　　 (2)
　それぞれ、続いて測定される電流 I1, I2, I3,I4  による計算に利用される。典型的にはこれらの値は０．９５と１．０５の間である。底部の導電シートの導電率が完全に均一で、４つの電極の接触抵抗が等しいなら、I1, I2, I3,I4 は等しく、C1,C2,C3,C4 は単一である。一般的にこれらのファクターが単一のものから
+
　引き続く計算では次の、標準化された４つの電流の和SN  を使用するのが便利である。
　 I1C1+I2C2+I3C3+and I4C4　　　　　　　　　　 (3)
　電流の測定値を補正した後、接触点の座標値である次の２つの値X0 Y0　が得られる。
　　X0=(I1C1-I2C2-I3C3+I4C4)/SN　　　　　　　　 (4)
そして
　　Y0=(I1C1+I2C2-I3C3I4C4)/SN　　　　　　 　　 (5)）　
　
「FIG. 5 illustrates a different form of electrographic terminal 50 in which writing is done with a special stylus 51 which also serves as a means for injecting current into the base conductive sheet. In this instance, the electrographic terminal basically comprises only the base sheet 52 similarly provided with terminals at each of its vertices. The paper 53 to be written on would be placed directly over this sheet. The tip of the stylus 51 would be powered by an alternating voltage source 54 of a frequency sufficiently high, for example, 100 kHz, that, as the stylus tip is pressed to the paper for writing, a capacitive current flows between the tip and the conductive sheet 52, which current redistributes itself on the sheet and flows to the four electrodes. As before, the relative distribution of the current flow to the four electrodes provides a measure of the location of the injected current.」（第６欄第８〜２４行）
（訳：図５は、筆記のために使用され、ベース導電シートに電流を注入する手段として働く特別のスタイラス５１を使用する、エレクトログラフィック端末５０の別の形式を示す。
この例では、エレクトログラフィック端末は基本的にベースシート５２のみを有し、同様にその各頂点に端子を有している。このシートの直上に筆記のための紙が置かれる。スタイラスの先端５１は例えば１００ＫＨｚの充分高い交流電源が印加され、筆記のためにスタイラスの先端が紙に押しつけられると先端と導電シート５２との間に容量性電流が流れ、電流は導電シート５２から再分配され、４つの電極に流れる。先のように、４つの電極への電流の分配は電流注入場所の測定を与える。）
　
　これら引用刊行物１の記載から、引用刊行物１には以下の発明（以下、「引用発明」という。）が記載されているものと認められる。
「筆記パッドの導電シートの四隅には電極端子が設けられ、四隅の各電極端子には各電極端子の電流を測定するためにそれぞれオペアンプが接続され、スタイラスには交流電源が接続され、スタイラスからベースシート間には容量性電流が流れ、それぞれのオペアンプで電流値を検出し、スタイラスが導電シートの中央にある時は各電流値は等しく、各電流値から、スタイラスのＸ、Ｙ座標を計算する方法。」
　
　同じく、原査定の拒絶の理由に引用された、本願の優先日前に頒布された刊行物「実願平４−１９１７６号（実開平５−７１９３６号）のＣＤ−ＲＯＭ」（以下、「引用刊行物２」という。）には図面とともに以下の記載がある。
「【実用新案登録請求の範囲】
【請求項１】タブレット面上の任意の位−置を指示可能な位置指示器を有し、該位置指示器の指示位置に関する座標信号を出力するデジタイザにおいて、
上記タブレットのバックグラウンドノイズを格納保持するノイズ保持手段と、該ノイズ保持手段に格納されたバックグラウンドノイズに基づいて上記座標信号を処理する処理手段とを設け、
上記デジタイザが上記位置指示器の指示位置座標を決定する際、上記ノイズ保持手段の保持するバックグラウンドノイズを除去するよう構成してなるデジタイザ。」（第２頁左欄）
　
「【０００１】
【産業上の利用分野】
　この考案は、位置指示器とタブレットとを有し、該位置指示器による上記タブレット面上の指示位置座標を決定するデジタイザに関する。
【０００２】
【従来の技術】
　このようなデジタイザには、一般的に多数の種類のものがある。例えば、多数のループコイルがタブレット面上に配置されたいわゆる電磁結合方式のものあるいは多数の電極がタブレット面上に配置されたいわゆる静電結合方式のものなどがある。
【０００３】
【考案が解決しようとする課題】
　このようなデジタイザにおいては、ループコイルや電極などの位置検出要素がＸ方向、Ｙ方向またはそれらの両方向に規則正しく配列されることが望ましい。
　例えば、タブレット上にループコイル群が配列された電磁結合型のデジタイザを例にとれば、位置検出要素としてのループコイル群には位置指示器から発信された磁界に基づき誘導電圧が生じる。これらの各誘導電圧は、上記ループコイル群と位置指示器との距離に比例したものとなる。
　このため、このような位置検出要素にバラツキがあった場合等にはこれらのデ
ジタイザから出力される座標信号に誤差を生じることとなる。
　この考案は、この点について改善することを目的としたものである。
【０００４】
【課題を解決するための手段】
　このため、この考案においては、
　タブレット面上の任意の位置を指示可能な位置指示器を有し、該位置指示器の指示位置に関する座標信号を出力するデジタイザにおいて、
　上記タブレットのバックグラウンドノイズを格納保持するノイズ保持手段と、該ノイズ保持手段に格納されたバックグラウンドノイズに基づいて上記座標信号を処理する処理手段とを設け、
　上記デジタイザが上記位置指示器の指示位置座標を決定する際、上記ノイズ保持手段の保持するバックグラウンドノイズを除去するよう構成した。」（第５〜６頁）
　
「【０００８】
　ところで、このように複数の位置検出要素がタブレット面に配列されたデジタイザにおいては、これらの位置検出要素の配列間隔またはバラツキ等により図３に示すようにバックグラウンドノイズが発生する。
　したがって、この実施例装置においては、座標決定動作に利用するため、あらかじめ測定したバックグラウンドノイズを格納保持しておくメモリ５２を有している。
【０００９】
　このバックグラウンドノイズの格納動作は、例えば、このデジタイザを出荷する前に行うことができる。
　このバックグラウンドノイズの測定及び格納動作は次のような手順で行う。
　まず、タブレット面上に位置指示器６を載置しない状態とする。次ぎに、第１の発信コイル２に所定の交流電流を供給しそのときの各受信コイル群１に現れた電圧を測定し、メモリ５２に第１発信コイル２に基づくバックグラウンドノイズとして格納する。次いで、第２発信コイル２に関して同様な動作を行わせメモリ５２に第２発信コイル２に基づくバックグラウンドノイズを格納する。次々とこの測定及び格納動作を各発信コイル２について行うことにより全体のバックグラウンドノイズを格納することができる。この動作により、メモリ５２には、図４に示すように、バックグラウンドノイズが格納される。なお、図４中、（ｘ１ｙ１）は第１発信コイルｙ１に交流電流を供給した際の第１受信コイルｘ１の検出電圧を表し、同様に（ｘｎｙｍ）はｍ番目の発信コイル２に交流電流を供給した際のｎ番目の受信コイル１に現れた電圧を示している。」（第７頁〜８頁）
　
「【００１１】
　次ぎに図３を参照して、このデジタイザの位置決定動作を説明する。
　図３ステップ２において、発信コイル群１を適当な順序で交流電流を次々と供給（駆動）するとともに、各発信コイルの交流電流供給タイミングにおいて各受信コイル１の誘導電圧を検出する。
　ステップ３にて、大きな電圧を検出したときに、装置はその付近に位置指示器が存在すると認識し、ステップ４にてその時点の駆動発信コイルと受信コイルとの順位を特定する。
　ステップ５にて、上記特定された発信コイル及び受信コイルを含む隣接した複数の発信コイル群と受信コイル群を選択する。
　ステップ６にて、上記ステップ４で選択された各測定ポイントのバックグラウンドノイズ及びその補正データを抽出する。この抽出を行うことにより、必要なポイントのみ補正を行うことができ測定速度を向上させることができる。
　そして、ステップ７にて上記選択された各測定ポイントについて誘導電圧を測定するとともにバックグラウンドノイズの補正を行う。
　これにより、正しい位置座標を決定できる。
【００１２】
　なお、この実施例装置においては、装置出荷前に全体のバックグラウンドノイズの測定及び格納動作を行う構成としたが、装置を使用する毎にすなわち装置の電源投入毎あるいは必要なときに全体のバックグラウンドノイズを測定及び更新するようにしても良い。この場合には、装置にスイッチ等の操作により選択起動されるバックグラウンドノイズの測定及び格納を行わせるプログラムを設けておくことにより自動的に行わせることができる。
【００１３】
【考案の効果】
　以上、この考案においては、デジタイザのバックグラウンドノイズを効果的に補償することができ正確な座標値を得られる。」（第８頁〜９頁）
　
　本願の優先日前に頒布された刊行物「特公平４−６７６４５号公報」（以下、「周知刊行物」という。）には図面とともに以下の記載がある。（なお、この刊行物は原査定において周知文献として引用された刊行物である米国特許第４７４５５６５号明細書のパテントファミリである。）
「特許請求の範囲
１　支持基準部材に結合された領域部材に印加される局在力の位置を少なくとも３個の力センサによつてデータ処理装置の入力データに変換するための装置において、
　前記各力センサから無負荷時の出力信号を得る段階と、
　少なくとも前記力センサの数の３倍から１を差し引いた数の半分以上の数（該数が整数にならない場合は小数点以下を切り上げた整数）の試験力を前記領域部材上の対応する複数の既知の位置に逐次に印加する段階と、
　前記領域部材が平衡状態にあるとき、前記各試験力の印加に応答して前記各力センサから得られる出力信号から前記無負荷時の出力信号をそれぞれ差し引くことにより前記各力センサの補正済み出力信号をそれぞれ得る段階と、
　前記各力センサの想定座標値および想定感度並びに前記各力センサの補正済み出力信号に基づいて、前記各試験力が印加された前記既知の位置の推定座標値を前記各試験力ごとにそれぞれ算出する段階と、
　前記各力センサの前記想定座標値および前記想定感度をを可変パラメータとして、前記既知の各位置の推定座標値と当該各位置の実際の座標値との差が全体として最小になるように数学的反復手法により計算を行うことにより、前記各力センサの座標値および感度をそれぞれ確定する段階とを有する、
データ入力装置の較正方法。」（第１頁左欄第１行〜右欄第９行）
　
「Ａ　産業上の利用分野
　本発明は、作業域の力が加えられる位置がコンピユータ・システム中でデータとして用いられるようにかかるデータをコンピユータ・システムへ入力するためのデータ入力装置に関するものである。作業域はふつう表示装置の表示面であり、力はふつうユーザの指またはスタイラスによつて加えられる。」（第１頁右欄第１１〜１８行）
　
「Ｃ　発明が解決しようとする問題点
　精度を向上させるために、センサの装着方法、センサからの信号、及び力の加え方から生じる信号の変動要素に適応できることが、当技術で求められている。
　本発明は、力感知型データ入力装置において、力（押圧）センサの感度及び位置の変動を補正する較正機能を提供することを目的とする。」（第２頁左欄末行〜右欄第７行）
　
「第２図は、力感知型データ入力装置の概略図である。第２図において、作業域１上に、受力板２が装着されている。作業域１は、例えば陰極線管のスクリーンである。受力板２は、各々が表示装置の表面または支持基準部材７に取付けられた押圧トランスジユーサ３，４５及び６で支持されている。受力板２はふつう透明であり、したがつて作業域１上にあるどの表示情報も、板２を通して見ることができ、また所要の情報の近傍で板２を押すなどして力を加えることにより、表示情報を選択または修正することができる。力センサ３乃至６は、加えられた力に応答して電圧または電流出力を出力する圧電トランスジユーサであることが好ましい。力に応答して変化し、出力信号として使えるパラメータを出力する他の型式のトランスジユーサを使用してもよい。図には４個のセンサが示してあるが、３個以上の任意の数のセンサを使用することができる。」（第２頁右欄第３６行〜第３頁左欄第９行）
　
「第１図は、較正で用いるステツプを記載したフローチヤートである。
　最初のステツプでは、センサの出力信号、ふつうは電圧を、全く力を加えずに測定する。信号は、センサからのものが、センサと増幅器の組み合せからのものを使用できるが、センサと増幅器の組合せを用いることが好ましい。零でない値が測定された場合、これは「オフセツト・エラー」ないし無負荷信号である。この値が記憶され、この信号を消すため、後続の全ての測定値から代数的にそれを差し引く。増幅器ｉのこの無負荷ないし「オフセツト・エラー」信号は、VO(i)と呼ばれる。」（第５頁左欄第８〜２０行）
　
３．対比
　本願発明と引用発明を対比すると、
　引用発明の「筆記パッド」は、本願発明の「タブレット」に相当し、引用発明の電極端子に接続された「オペアンプ」は、本願発明の「センサ」に相当する。
　引用発明においてセンサ（オペアンプ）により検出される電流はスタイラスからの容量性電流であるから、引用発明においてもセンサにより検出される電流はスタイラスによって誘導される電流ということができる。そして本願発明では４隅にそれぞれ設けられたセンサにより検出される電流値によってセンサとスタイラス間の距離が計算され、スタイラスの位置が検出されているところ、本願発明も４隅の電極にそれぞれ接続されたセンサにより検出される電流値によりスタイラスの位置（Ｘ、Ｙ座標）が計算により求められてるから、引用発明も本願発明と同様にスタイラスによって誘導される信号により各センサとスタイラス間の各距離を計算することによりスタイラスの位置を検出するスタイラス位置計算（検出）方法であるということができる。
　
したがって、両者は
「４つのセンサを備えたタブレット上においてスタイラスによって誘導される信号により各センサとスタイラス間の各距離を計算することによりスタイラスの位置を検出するスタイラス位置検出方法であって、
（ｂ）前記タブレット上に前記スタイラスが存在している時の前記４つのセンサにおけるスタイラス存在信号を測定するステップ、
を有するスタイラス位置計算方法。」の点で一致し、以下の点で相違する。
　
相違点１
　本願発明は４つのセンサが４隅に配置されているの対して、引用発明は４つのセンサが４隅の電極に接続されている点。
　
相違点２
　本願発明は、（ａ）前記スタイラスが信号を誘導していない時に、前記４つのセンサのノイズ信号を測定するステップと、（ｃ）前記タブレット上における前記スタイラスの位置を計算する際に、前記測定されたノイズ信号に基づいて前記スタイラス存在信号を修正するステップとの各ステップを有しているのに対して、引用発明は、これらのステップ（（ａ），（ｃ））を有していない点。
　
４．当審の判断
　以下、上記相違点について検討する。
相違点１について
　センサをどのような位置に配置するかは設計的事項であって、引用発明は４つのセンサを４隅の電極に接続しているから、引用発明において４つのセンサを４隅に配置することは当業者が適宜になし得ることである。
　
相違点２について
　データ入力装置（タブレット）における位置検出方法において、位置検出対象（スタイラス）が実質的に存在しておらず、スタイラスによる信号がない時に位置検出用のセンサに生じている信号を測定し、位置検出対象の位置を検出する際に、当該信号により位置検出対象を検知する信号を修正することは、上記引用刊行物２，周知刊行物に記載されているように周知であるから、引用発明のスタイラス位置計算方法に適用して、スタイラス位置計算に際して、スタイラスが信号を誘導していない時に、前記４つのセンサのノイズ信号を測定するステップと、前記タブレット上における前記スタイラスの位置を計算する際に、前記測定されたノイズ信号に基づいて前記スタイラス存在信号を修正するステップとを設けて本願発明のように構成することは当業者が容易になし得ることである。
　
　そして、本願発明のように構成したことによる効果も引用発明及び周知技術から予想できる程度のものであって、格別のものではない。
　
　なお、審判請求人は審判請求書の請求理由（平成１７年１２月８日付け手続補正書（方式））、【本発明が特許されるべき理由】、「３．本願発明と各引用文献に記載された発明との対比」の項において、引用文献１と本願発明との相違点について、引用文献２は、本願発明のように、「スタイラスにより信号が誘導される４隅に配置された複数のセンサを備えたタブレット上でスタイラスの位置を計算する」ものではなく、タブレット装置の基本構成において全く相違しており、また、引用文献４に記載の発明は、その構成要素である４つの圧電素子を本発明の電流検知のためのセンサに置き換えたとしても、圧電素子であるがゆえに、本発明のように、タブレットの下に配置されるＣＲＴ等のディスプレイ、蛍光灯等による誘導電荷によるノイズ信号のタブレット上の各座標ポイント毎に異なる電磁誘導等によるノイズの影響を修正するものではない旨主張している。（なお、引用文献１及び引用文献２はそれぞれ本審決の引用刊行物１及び引用刊行物２であり、引用文献４は本審決の周知刊行物のパテントファミリである。）
　しかしながら、上に述べたように、「データ入力装置（タブレット）における位置検出方法において、位置検出対象（スタイラス）が実質的に存在しておらず、スタイラスによる信号がない時に位置検出用のセンサに生じている信号を測定し、位置検出対象の位置を検出する際に、当該信号により位置検出対象を検知する信号を修正すること」は、上記引用刊行物２，周知刊行物に記載されているように周知であって、この周知技術が、センサの種類、タブレットの構成を問わず、スタイラスを検知する信号の修正に適用できることは当然のことであるから、審判請求人のこの主張は妥当なものではない。
　
５．むすび
　以上のとおり、本願発明（請求項１に係る発明）は、引用発明及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。